(57)【要約】【課題】圧縮機やアキュームレータから放射された音が圧縮機とアキュームレータとの間の楔状空間で増幅されることを防止できる圧縮機ユニットを提供する。【解決手段】音増幅防止部材３は、圧縮機１とアキュームレータ２との間の楔状空間Ｋに埋設されている。このため、音増幅防止部材３は、圧縮機１やアキュームレータ２から放射された音が、圧縮機１とアキュームレータ２との間の楔状空間Ｋで増幅されることを、防止する。【選択図】図１
2012036843.tif 000002
【特許請求の範囲】
【請求項１】
圧縮機（１）と、
上記圧縮機（１）との間に楔状空間（Ｋ）を形成するように上記圧縮機（１）に取り付けられたアキュームレータ（２）と、
上記圧縮機（１）と上記アキュームレータ（２）との間の上記楔状空間（Ｋ）に埋設された音増幅防止部材（３）と
を備えることを特徴とする圧縮機ユニット。
【請求項２】
請求項１に記載の圧縮機ユニットにおいて、
上記音増幅防止部材（３）は、軟質部材であることを特徴とする圧縮機ユニット。
【請求項３】
請求項１または２に記載の圧縮機ユニットにおいて、
上記音増幅防止部材（３）は、上記圧縮機（１）の軸方向からみて、上記圧縮機（１）と上記アキュームレータ（２）とに外接する２つの共通外接線（Ｌ，Ｌ）と、上記圧縮機（１）と、上記アキュームレータ（２）とによって囲まれて形成された領域（Ｚ）の略全ての部分に、埋設されていることを特徴とする圧縮機ユニット。
【発明の詳細な説明】
【技術分野】
【０００１】
この発明は、圧縮機とアキュームレータとを有する圧縮機ユニットに関する。
【背景技術】
【０００２】
従来、圧縮機ユニットとしては、図４に示すように、圧縮機１０１と、この圧縮機１０１に取付部材１０５を介して取り付けられたアキュームレータ１０２とを備えたものがある（特開平７−３１８１０９号公報：特許文献１参照）。圧縮機１０１とアキュームレータ１０２との間には、楔状空間Ｋが形成されていた。
【０００３】
しかしながら、上記従来の圧縮機ユニットでは、圧縮機１０１とアキュームレータ１０２との間には、楔状空間Ｋが形成されているため、圧縮機１０１やアキュームレータ１０２から放射された音が、図４の矢印で示すように、楔状空間Ｋで増幅される問題があった。
【先行技術文献】
【特許文献】
【０００４】
【特許文献１】特開平７−３１８１０９号公報
【発明の概要】
【発明が解決しようとする課題】
【０００５】
そこで、この発明の課題は、圧縮機やアキュームレータから放射された音が圧縮機とアキュームレータとの間の楔状空間で増幅されることを防止できる圧縮機ユニットを提供することにある。
【課題を解決するための手段】
【０００６】
上記課題を解決するため、この発明の圧縮機ユニットは、
圧縮機と、
上記圧縮機との間に楔状空間を形成するように上記圧縮機に取り付けられたアキュームレータと、
上記圧縮機と上記アキュームレータとの間の上記楔状空間に埋設された音増幅防止部材と
を備えることを特徴としている。
【０００７】
この発明の圧縮機ユニットによれば、上記音増幅防止部材は、上記圧縮機と上記アキュームレータとの間の上記楔状空間に埋設されているので、音増幅防止部材は、圧縮機やアキュームレータから放射された音が、圧縮機とアキュームレータとの間の楔状空間で増幅されることを、防止する。
【０００８】
また、一実施形態の圧縮機ユニットでは、上記音増幅防止部材は、軟質部材である。
【０００９】
ここで、軟質部材とは、例えば、発泡ウレタン等のスポンジや、スチールウールや、紙や、不織布などである。
【００１０】
この実施形態の圧縮機ユニットによれば、上記音増幅防止部材は、軟質部材であるので、音増幅防止部材は取り扱いやすく、音増幅防止部材を楔状空間に埋めやすくなる。
【００１１】
また、一実施形態の圧縮機ユニットでは、上記音増幅防止部材は、上記圧縮機の軸方向からみて、上記圧縮機と上記アキュームレータとに外接する２つの共通外接線と、上記圧縮機と、上記アキュームレータとによって囲まれて形成された領域の略全ての部分に、埋設されている。
【００１２】
この実施形態の圧縮機ユニットによれば、上記音増幅防止部材は、上記圧縮機の軸方向からみて、上記圧縮機と上記アキュームレータとに外接する２つの共通外接線と、上記圧縮機と、上記アキュームレータとによって囲まれて形成された領域の略全ての部分に、埋設されているので、楔状空間における音増幅作用（ホーン作用）を確実に防止する。
【発明の効果】
【００１３】
この発明の圧縮機ユニットによれば、上記音増幅防止部材は、上記圧縮機と上記アキュームレータとの間の上記楔状空間に埋設されているので、圧縮機やアキュームレータから放射された音が圧縮機とアキュームレータとの間の楔状空間で増幅されることを防止できる。
【図面の簡単な説明】
【００１４】
【図１】本発明の圧縮機ユニットの第１実施形態を示す平面図である。
【図２】圧縮機ユニットの正面図である。
【図３】本発明の圧縮機ユニットの第２実施形態を示す正面図である。
【図４】従来の圧縮機ユニットを示す平面図である。
【発明を実施するための形態】
【００１５】
以下、この発明を図示の実施の形態により詳細に説明する。
【００１６】
（第１の実施形態）
図１は、この発明の圧縮機ユニットの第１実施形態である平面図を示している。図２は、この圧縮機ユニットの正面図を示している。図１と図２に示すように、圧縮機ユニットは、圧縮機１と、上記圧縮機１に取り付けられたアキュームレータ２とを有する。
【００１７】
上記圧縮機１は、図示しない四路切換弁、室外熱交換器、膨張弁および室内熱交換器と共に、冷媒回路を構成している。
【００１８】
上記圧縮機１は、円筒形の密閉容器１０と、密閉容器１０内に配置されたモータ１１と、密閉容器１０内に配置されると共にモータ１１にシャフト１２を介して接続される２つの圧縮要素１３，１３とを有する。
【００１９】
上記２つの圧縮要素１３は、上下に配置され、モータ１１の駆動により、圧縮要素１３内の冷媒を圧縮する。圧縮要素１３は、例えば、ロータリ機構、スクロール機構またはスイング機構を有する。なお、圧縮要素１３は、一つであってもよい。
【００２０】
上記密閉容器１０は、高圧ドーム型または低圧ドーム型の何れのタイプであってもよい。上記モータ１１は、例えば、ロータとステータとを有し、ロータにシャフト１２が固定される。
【００２１】
上記アキュームレータ２は、円筒形のケーシング２０を有し、取付部材５を介して、圧縮機１に取り付けられている。アキュームレータ２の底面から、圧縮機１の２つの圧縮要素１３，１３のそれぞれに、配管６が接続されている。アキュームレータ２の軸は、圧縮機１の軸と平行に配置されている。
【００２２】
上記取付部材５は、圧縮機１に固定された支持台５ａと、この支持台５ａに取り付けられアキュームレータ２に巻回されているバンド５ｂとを有する。支持台５ａは、圧縮機１の軸方向からみた平面視、圧縮機１の軸とアキュームレータ２の軸とを結ぶ線上に位置する。
【００２３】
上記圧縮機１と上記アキュームレータ２との間には、楔状空間Ｋが形成されている。これは、圧縮機１の密閉容器１０の形状は、平面視、円形であり、アキュームレータ２のケーシング２０の形状は、平面視、円形であるため、密閉容器１０とケーシング２０との間に、楔状空間Ｋが形成される。この楔状空間Ｋは、圧縮機１の軸方向からみた平面視、圧縮機１の軸とアキュームレータ２の軸とを結ぶ線（支持台５ａ）を挟んだ両側に形成されている。
【００２４】
上記楔状空間Ｋには、音増幅防止部材３が埋設されている。音増幅防止部材３は、軟質部材である。この軟質部材とは、例えば、発泡ウレタン等のスポンジや、スチールウールや、紙や、不織布などである。音増幅防止部材３は、中実であっても、中空であってもよい。
【００２５】
上記音増幅防止部材３は、圧縮機１の軸方向からみた平面視、圧縮機１とアキュームレータ２とに外接する２つの共通外接線Ｌ，Ｌと、圧縮機１と、アキュームレータ２とによって囲まれて形成された領域Ｚの略全ての部分で、支持台５ａを除く部分に、埋設されている。音増幅防止部材３は、支持台５ａの周囲に巻き付けられている。音増幅防止部材３は、アキュームレータ２の軸方向の全高さに渡って巻き付けられている。
【００２６】
上記構成の圧縮機ユニットによれば、上記音増幅防止部材３は、圧縮機１とアキュームレータ２との間の楔状空間Ｋに埋設されているので、音増幅防止部材３は、圧縮機１やアキュームレータ２から放射された音が、圧縮機１とアキュームレータ２との間の楔状空間Ｋで増幅されることを、防止する。
【００２７】
例えば、上記楔状空間Ｋでは、平面視、圧縮機１の軸とアキュームレータ２の軸とを結ぶ線上に沿って、圧縮機１からアキュームレータ２に放射された音は、アキュームレータ２で反射されて増幅し、さらに、このアキュームレータ２で反射された音は、圧縮機１で反射されて増幅する。この反射を繰り返して、圧縮機１から放射された音は、楔状空間Ｋで、増幅される。しかし、音増幅防止部材３は、楔状空間Ｋに埋設され、楔状空間Ｋにおける音増幅作用（ホーン作用）を防止する。
【００２８】
また、上記音増幅防止部材３は、軟質部材であるので、音増幅防止部材３は取り扱いやすく、音増幅防止部材３を楔状空間Ｋに埋めやすくなる。
【００２９】
また、上記音増幅防止部材３は、圧縮機１の軸方向からみて、圧縮機１とアキュームレータ２とに外接する２つの共通外接線Ｌ，Ｌと、圧縮機１と、アキュームレータ２とによって囲まれて形成された領域Ｚの略全ての部分に、埋設されているので、楔状空間Ｋにおける音増幅作用（ホーン作用）を確実に防止する。
【００３０】
（第２の実施形態）
図３は、この発明の圧縮機ユニットの第２の実施形態を示している。上記第１の実施形態と相違する点を説明すると、この第２の実施形態では、音増幅防止部材は、支持台の側面を覆っていない。なお、上記第１の実施形態と同一の符号は、上記第１の実施形態と同じ構成であるため、その説明を省略する。
【００３１】
図３に示すように、音増幅防止部材３は、圧縮機１の軸方向において支持台５ａを挟んだ両側（つまり、支持台５ａの上側と下側）に、配置され、かつ、圧縮機１の軸およびアキュームレータ２の軸を含む平面に直交する方向において支持台５ａを挟んだ両側（つまり、支持台５ａの左右側面）に、配置されていない。つまり、支持台５ａの左右側面は、露出している。
【００３２】
上記支持台５ａは、平面視、圧縮機１の軸とアキュームレータ２の軸とを結ぶ線上に位置し、楔状空間Ｋにおける音の増幅の開始部分を占めているため、支持台５ａ自体が、楔状空間Ｋにおける音増幅作用（ホーン作用）を防止する。
【００３３】
したがって、上記音増幅防止部材３によって支持台５ａの左右側面を覆わなくても、上記第１の実施形態の効果に比べて劣るが、楔状空間Ｋにおける音増幅作用（ホーン作用）を防止できる。このため、音増幅防止部材３の材料コストを低減できる。
【００３４】
なお、この発明は上述の実施形態に限定されない。例えば、上記第１と上記第２の実施形態のそれぞれの特徴点を様々に組み合わせてもよい。また、上記音増幅防止部材３を、圧縮機１とアキュームレータ２とに外接する２つの共通外接線Ｌ，Ｌと、圧縮機１と、アキュームレータ２とによって囲まれて形成された領域Ｚの少なくとも一部分に、埋設してもよい。
【００３５】
また、上記圧縮機１の密閉容器１０の形状や、上記アキュームレータ２のケーシング２０の形状は、密閉容器１０とケーシング２０との間に楔状空間Ｋが形成されれば、平面視、円形に限定されず、例えば、楕円形や多角形等であってもよい。
【符号の説明】
【００３６】
１  圧縮機
１０  密閉容器
１１  モータ
１２  シャフト
１３  圧縮要素
２  アキュームレータ
２０  ケーシング
３  音増幅防止部材
５  取付部材
５ａ  支持台
５ｂ  バンド
Ｋ  楔状空間
Ｌ  共通外接線
Ｚ  領域
【図１】
2012036843.tif 000003
【図２】
2012036843.tif 000004
【図３】
2012036843.tif 000005
【図４】
2012036843.tif 000006